(57)【特許請求の範囲】
【請求項１】
ディスプレイ部(10)を具えた第１キャビネット(９)と、操作部(83)を具えた第２キャビネット(90)とがヒンジ部(５)によって折畳み回転可能に接続され、第１キャビネット(９)は、第１フロントケース(１)と、該第１フロントケース(１)の背面を覆う第１リアカバー(３)とを具え、第２キャビネット(90)は、第２フロントケース(２)と、該第２フロントケース(２)の背面を覆う第２リアカバー(４)とを具えた折畳み式携帯端末機器において、ヒンジ部(５)は、第１フロントケース(１)に連続して設けられた第１嵌合部(15)と、第２フロントケース(２)に連続して設けられた第２嵌合部(26)とを回転可能に嵌め合わせて構成され、両嵌合部(15)(26)間には第１切欠窓(54)と第２切欠窓(55)が斜めに隣りあって形成され、第１切欠窓(54)は第１フロントケース(１)又は第１リアカバー(３)に取り付けられた第１塞ぎ片(６)によって塞がれ、第２切欠窓(55)は第２リアカバー(４)に取り付けられた第２塞ぎ片(７)によって塞がれ、第１塞ぎ片(６)は第１フロントケース(１)又は第１リアカバー(３)内に収まった取付け基部(60)から第１切欠窓(54)を塞ぐ円弧状の塞ぎ壁(61)を突設しており、該取付け基部(60)の前記ヒンジ部(５)の軸方向に沿う両端が第１切欠窓(54)の開口幅よりも外側にてフロントケース(１)又は第１リアカバー(３)に、２箇所止めにより支持されており、ヒンジ部(５)内にフレキシブル接続基板(８)が収容され、第１塞ぎ片(６)及び第２塞ぎ片(７)は、フレキシブル接続基板(８)を第１キャビネット(９)内、及び第２キャビネット内(90)へ引き出すための通路(56)(57)を塞がない様に取り付けられている折畳み式携帯端末機器。
【請求項２】
第１塞ぎ片(６)の取付け基部(60)の一端は、ヒンジ部(５)の端部上にてビス止めされ、取付け基部(60)の他端には先端に掛り爪部(65)を具えた脚片(64)が突設され、該脚片(64)を第１フロントケース(１)上の又は第１リアカバー(３)上の脚差込み孔(16)に嵌めて爪部(65)を該脚差込孔(16)内の掛かり部(17a)に引っ掛けている請求項１に記載の折畳み式携帯端末機器。
【請求項３】
第１塞ぎ片(６)及び第２塞ぎ片(７)を含むヒンジ部(５)、第１フロントケース(１)及び第２フロントケース(２)は同じ視覚又は触感を有する外観で統一され、第１リアカバー(３)及び第２リアカバー(４)も同じ視覚又は感触を有し、且つ、第１フロントケース(１)等とは異なる視覚又は感触に形成されている請求項１又は２に記載の折畳み式携帯端末機器。
【発明の詳細な説明】
【０００１】
【発明の属する技術分野】
本発明は、折畳み構造の携帯電話等の折畳み式携帯端末機器に関する。
【０００２】
【従来の技術】
図９、図１０に示す如く、折畳み式携帯電話機は、情報を表示するディスプレイ部(10)を具えた第１キャビネット(９)と、操作部(83)を具えた第２キャビネット(90)をヒンジ部(５)よって折り畳み可能に接続して構成される。以下の記載では、両キャビネット(９)(90)を折り畳んだ際に、内側となる方をフロント側、外側となる方をリア側とする。
第１キャビネット(９)は、ディスプレイ部(10)が取り付けられる第１フロントケース(１)と、該第１フロントケース(１)の背面を覆う第１リアカバー(３)を具えている。第２キャビネット(90)は、操作釦孔群(20)を有する第２フロントケース(２)、該第２フロントケース(２)の背面を覆う第２リアカバー(４)を具えている。
第１キャビネット(９)側の画像制御回路(80)と第２キャビネット(90)側のシステム制御回路(82)は、フレキシブル接続基板(８)によって接続され、該フレキシブル接続基板(８)はヒンジ部(５)内を通っている。
【０００３】
両フロントケース(１)(２)及び前記リアカバー(３)(４)は合成樹脂にて形成される。図１１に示す如く、第１フロントケース(１)の端部には、第１嵌合部(15)が設けられ、第２フロントケース(２)の端部には、第１嵌合部(15)に嵌める第２嵌合部(26)が設けられている。
第１嵌合部(15)と、第２嵌合部(26)とでヒンジ部(５)を構成する。
第１嵌合部(15)は、第１筒体(11)と第２筒体(12)を互いに離して同一軸心上に設けている。第２嵌合部(26)は第１筒体(11)の外側に位置する第３筒体(21)、第１筒体(11)と第２筒体(12)の間に位置する第２庇体(23a)、第２筒体(12)の外側に位置する第４筒体(22)を具える。第２フロントケース(２)の外側から、２本の枢軸(51)(51)を第１筒体(11)と第３筒体(21)、及び第２筒体(12)と第４筒体(22)に夫々跨って挿通し、該枢軸(51)の先端部に留めワッシャ(図示せず)を嵌めることにより、両フロントケース(１)(２)がヒンジ接続される。
【０００４】
図１１に示す如く、第２筒体(12)からは、第１筒体(11)に向かって第１庇体(13a)が設けられ、該第１庇体(13a)は断面略１／２円弧に湾曲し、前記２庇体(23a)に連なり、第１、第２庇体(13a)(23a)の下側は解放されている。図１２は、図１０の両フロントケース(１)(２)をＺ方向から見た裏面図であるが、第１、第２庇体(13a)(23a)の下側に、斜線で示すフレキシブル接続基板(８)を通すことができる。
図１０に示すように、第１リアカバー(３)の下端部からは第１塞ぎ片(6a)が一体に突出し、第２リアカバー(４)の上端部からは第２塞ぎ片(7a)が一体に突出している。第１塞ぎ片(6a)が第１庇体(13a)の下方に被さり、第２塞ぎ片(7a)が第２庇体(23a)の下方に被さって、ヒンジ部(５)の外周円弧面が連続して形成されるとともに、フレキシブル接続基板(８)がヒンジ部(５)内に収納される。
【０００５】
第１塞ぎ片(6a)及び第２塞ぎ片(7a)が無ければ、ヒンジ部(５)には斜めに隣り合って２つの切欠窓が開放されたままとなり、第１嵌合部(15)及び第２嵌合部(26)のみならず、該切欠窓を塞ぐ、第１塞ぎ片(6a)及び第２塞ぎ片(7a)がヒンジ部(５)の外周面の一部を構成している。従って、第１フロントケース(１)と第２フロントケース(２)の色が同じでも、第１フロントケース(１)と第１リアカバー(３)、第２フロントケース(２)と第２リアカバー(４)の色が異なると、ヒンジ部(５)の一部を構成する第１塞ぎ片(6a)と第２塞ぎ片(7a)は、第１嵌合部(15)及び第２嵌合部(26)とは色が異なり、ヒンジ部(５)の色が統一されない。従来は、これを避けるため、両フロントケース(１)(２)とリアカバー(３)(４)は全て同色で統一されていた。
【０００６】
然るに、デザインの多様化と商品の差別化を図るべく、フロントケース(１)(２)とリアカバー(３)(４)を異なる色にて形成する要請がでてきた。フロントケース(１)(２)とリアカバー(３)(４)を異なる色にし、且つ、ヒンジ部(５)の色を統一するには、リアカバー側の第１塞ぎ片(6a)と第２塞ぎ片(7a)を、フロントケース(１)(２)色に塗装することが考えられる。しかし、塗装は手間が掛かり、又、塗装が剥げて地肌が露出したときに、却って見栄えが悪くなる問題がある。
フロントケース(１)(２)とリアカバー(３)(４)を異なる質感や模様にする場合も、ヒンジ部(５)の質感や模様が統一されないという同様の問題が生じる。
【０００７】
そこで出願人は以前に、第１塞ぎ片(6a)と第２塞ぎ片(7a)を夫々独立して製作し、第１フロントケース(１)と第２リアカバー(４)に取り付けることにより、ヒンジ部(５)の色を第１フロントケース(１)及び第２フロントケース(２)の色に揃えることを提案した(特願２００１−１３８１８８号)。但し、この場合、第１塞ぎ片(6a)の一端は、第１フロントケース(１)の第１筒体(11)の端面に形成した引っ掛け凹み(図示せず)に嵌めて固定する様になっており、第１筒体(11)の外径、即ち、ヒンジ部(５)の外径を小さくするのに限界があった。
携帯電話は薄型化が競われており、ヒンジ部(５)の径を小さくできないことは薄型化の大きなネックであった。
本発明は、ヒンジ部の径を小さくすることにネックとはならずに、ヒンジ部の色を第１フロントケース及び第２フロントケースの色に揃えることのできる折畳み式携帯電話を明らかにするものである。
【０００８】
【課題を解決する為の手段】
本発明は、ディスプレイ部(10)を具えた第１キャビネット(９)と、操作部(83)を具えた第２キャビネット(90)とがヒンジ部(５)によって折畳み回転可能に接続され、第１キャビネット(９)は、第１フロントケース(１)と、該第１フロントケース(１)の背面を覆う第１リアカバー(３)とを具え、第２キャビネット(90)は、第２フロントケース(２)と、該第２フロントケース(２)の背面を覆う第２リアカバー(４)とを具えた折畳み式携帯端末機器において、ヒンジ部(５)は、第１フロントケース(１)に連続して設けられた第１嵌合部(15)と、第２フロントケース(２)に連続して設けられた第２嵌合部(26)とを回転可能に嵌め合わせて構成され、両嵌合部(15)(26)間には第１切欠窓(54)と第２切欠窓(55)が斜めに隣りあって形成され、第１切欠窓(54)は第１フロントケース(１)又は第１リアカバー(３)に取り付けられた第１塞ぎ片(６)によって塞がれ、第２切欠窓(55)は第２リアカバー(４)に取り付けられた第２塞ぎ片(７)によって塞がれ、第１塞ぎ片(６)は第１フロントケース(１)又は第１リアカバー(３)内に収まった取付け基部(60)から第１切欠窓(54)を塞ぐ円弧状の塞ぎ壁(61)を突設しており、該取付け基部(60)の前記ヒンジ部(５)の軸方向に沿う両端が第１切欠窓(54)の開口幅よりも外側にてフロントケース(１)又は第１リアカバー(３)に、２箇所止めにより支持されており、ヒンジ部(５)内にフレキシブル接続基板(８)が収容され、第１塞ぎ片(６)及び第２塞ぎ片(７)は、フレキシブル接続基板(８)を第１キャビネット(９)内、及び第２キャビネット内(90)へ引き出すための通路(56)(57)を塞がない様に取り付けられている。
【０００９】
【作用及び効果】
第１キャビネット(９)の第１嵌合部(15)と第２キャビネット(90)の第２嵌合部(26)を嵌め合わせた際に形成される切欠窓(54)(55)は、夫々独立して形成される第１塞ぎ片(６)及び第２塞ぎ片(７)により覆われる。第１塞ぎ片(６)及び第２塞ぎ片(７)を第１フロントケース(１)及び第２フロントケース(２)と同じ視覚又は触感となる様に形成しておくことにより、ヒンジ部(５)の色或いは触感を統一出来る。
第１塞ぎ片(６)は、その取付け基部(60)の押え片(62)の両端が、第１切欠窓(54)の開口幅よりも外側にてフロントケース(１)又は第１リアカバー(３)に、２箇所止めにより支持されているため、キャビネット(９)(90)に捻り力が加わった場合でも、ヒンジ部(５)の第１切欠(54)と該切欠を塞ぐ第１塞ぎ片(６)との嵌合部に隙間が生じることを防止できる。
【００１０】
【発明の実施の形態】
以下、本発明の一例を図を用いて詳述する。
図１は、本例に係わる折畳み携式帯電話機の分解斜視図である。従来と同様に、第１キャビネット(９)と、第２キャビネット(90)を折畳み可能にヒンジ接続して構成される。
第１キャビネット(９)は、ディスプレイ部(10)が設けられた第１フロントケース(１)と、該第１フロントケース(１)の背面を覆う第１リアカバー(３)を具えている。
第２キャビネット(90)は、操作釦孔群(20)を開設した第２フロントケース(２)と、該第２フロントケース(２)の背面を覆う第２リアカバー(４)を具えている。
第２リアカバー(４)のヒンジ側端部には、後記する第２塞ぎ片(７)が取り付けられている。
両フロントケース(１)(２)及び前記リアカバー(３)(４)は合成樹脂、軽合金或いはこれらの組合せによって形成される。
【００１１】
第１リアカバー(３)のヒンジ側寄りに補助ディスプレイ部(31)と着信等を色発光で表示するイルミネーション部(32)が設けられ、イルミネーション部(32)は横長に形成され、第１リアカバー(３)先端のノーズ部(30)に設けられている。
ノーズ部(30)は少し幅狭となり、先端側が湾曲して徐々に薄く形成され、後記するヒンジ部(５)に被さる様に載る。図６の矢印(100)(101)で示す、折り畳んだ携帯電話の真上位置と真横位置の２方向から、イルミネーション部(32)の点滅状態を目視出来る。
第１リアカバー(３)内にはディスプレイ部(10)の画像を制御する画像制御回路(80)及び枢支側端部寄りに補助ディスプレイ制御回路(81)が設けられる。
第２リアカバー(４)内には、システム制御回路(82)が設けられ、該制御回路(82)上に前記第２フロントケース(２)の操作釦孔群(20)から臨出する操作釦群からなる操作部(83)が設けられる。システム制御回路(82)とディスプレイ制御回路(80)及び補助ディスプレイ制御回路(81)はフレキシブル接続基板(８)によって連繋され、該フレキシブル接続基板(８)はヒンジ部(５)内に収納される。
【００１２】
図２は、フロント側から見たヒンジ部(５)の分解斜面図、図３はリア側から見た分解斜面図である。
第１フロントケース(１)のヒンジ側端部に第１嵌合部(15)が設けられ、第２フロントケース(２)のヒンジ側端部に第１嵌合部(15)に嵌める第２嵌合部(26)が設けられている。
第１嵌合部(15)は、第１筒体(11)と第２筒体(12)を離して同軸上に対向して設け、第１筒体(11)と第１フロントケース(１)の端縁に連続して第１庇片(13)、第２筒体(12)と第１フロントケース(１)の端縁に連続して第２庇片(14)を夫々内向きに有している。
第１庇片(13)はリア側に膨らみフロント側へ略１／４円弧に湾曲している。該第１庇片(13)は、後記する第２塞ぎ片(７)の覆い壁(71)が摺接するもので、第１リアカバー(３)に隠れてしまう。
第２庇片(14)はフロント側に膨らみリア側に略１／２円弧に湾曲している。
【００１３】
第２嵌合部(26)は第１筒体(11)の外側に位置する第３筒体(21)、第２筒体(12)の外側に位置する第４筒体(22)、第１筒体(11)に摺接する第３庇片(23)、第１筒体(11)と第２庇片(14)との間に嵌まる第４庇片(24)及び第２筒体(12)に摺接する第５庇片(25)を突設している。
第３庇片(23)は、第３筒体(21)と第２フロントケース(２)の端面に連続し、第５庇片(25)は第４筒体(22)と第２フロントケース(２)の端面に連続して夫々略１／４円弧に湾曲してリア側に膨らんでおり、第２リアカバー(４)に隠れてしまう。
第４庇片(24)は略１／２円弧に湾曲してフロント側に膨らむ。
【００１４】
第１フロントケース(１)の第１筒体(11)と第２庇片(14)との間に第２フロントケース(２)の第４庇片(24)が嵌まり、該第４庇片(24)と第４筒体(22)との間に第１フロントケース(１)の第２庇片(14)と第２筒体(12)が嵌まる。
第２フロントケース(２)の第３筒体(21)と第４筒体(22)の外側から、枢軸(51)(51)を第３筒体(21)と第１筒体(11)に、又、第４筒体(22)と第２筒体(12)に夫々跨る様に嵌めてヒンジ部(５)を構成する。
枢軸(51)は、先端に弾性部材で形成した２つ割弾性爪片(52)(52)、基端に飾り頭部(53)を有しており、第３筒体(21)、第４筒体(22)に弾性爪片(52)(52)を弾性変形させて無理に挿入すると、第１筒体(11)と第２筒体(12)を貫通した瞬間に弾性爪片(52)(52)が弾性復帰して抜け止めが図られる。
【００１５】
第１フロントケース(１)と第１リアカバー(３)を嵌め合わせてヒンジ側をビス(19)にて固定し、第２フロントケース(２)と第２リアカバー(４)を嵌め合わせてヒンジ側をビス(43)にて固定すると、図７、図８に示す如く、第２庇片(14)の基端と第１リアカバー(３)のヒンジ側端縁との間及び第４庇片(24)の基端と第２リアカバー(４)のヒンジ側端縁との間にフレキシブル接続基板(８)を外部に引き出しできる通路(56)(57)が形成される。
図６に示す如く、第１フロントケース(１)と第１リアカバー(３)との間及び第２フロントケース(２)と第２リアカバー(４)との間に、前記フレキシブル接続基板(８)を通すための引出し通路(56)(57)に対応して、第２庇片(14)で覆い切れない略１／２円弧の第１切欠窓(54)と第４庇片(24)で覆い切れない略１／２円弧の第２切欠窓(55)が、斜めに隣りあって開口する。
上記第１切欠窓(54)を第１フロントケース(１)に取り付ける第１塞ぎ片(６)で、第２切欠窓(55)を第２リアカバー(４)に取り付ける第２塞ぎ片(７)で塞ぐ。
【００１６】
図３に示す如く、第１塞ぎ片(６)は第１フロントケース(１)及び第２フロントケース(２)と同材質及び同色にて該フロントケース(１)(２)とは独立して別個に形成されている。第１塞ぎ片(６)は取付け基部(60)からヒンジ部(５)の湾曲に沿って湾曲し且つ第１切欠窓(54)を塞ぐ大きさの塞ぎ壁(61)を突設している。第１塞ぎ片(６)の取付け基部(60)には、ヒンジ部(５)の端部側寄りに押え片(62)、他端に脚片(64)が夫々第１塞ぎ片(６)の幅から外側に突出して設けられ、押え片(62)にはビス挿入部(63)が、脚片(64)には爪部(65)が形成される。
第１フロントケース(１)の前記第２筒体(12)の近傍にはビス孔(95)が開設され、第１庇片(13)の基端側に脚差込み孔(16)が開設され、図５に示す如く、脚差込み孔(16)の壁部(17)に掛かり部(17a)が形成される。
上記ビス孔(95)及び脚差込み孔(16)は、第１切欠窓(54)の開口幅より外側に位置している。
【００１７】
第１塞ぎ片(６)を第１切欠窓(54)に合わせて脚片(64)を脚差込み孔(16)に嵌めて脚片(64)先端の爪部(65)を掛かり部(17a)に引っ掛け、ビス(66)をビス挿入部(63)に挿入してビス孔(95)にネジ込んで第１塞ぎ片(６)を第１フロントケース(１)に固定する。
第１フロントケース(１)に第１リアカバー(３)をビス止め固定すると、第１塞ぎ片(６)の取付け基部(60)に、第１リアカバー(３)のノーズ部(30)が被さる。
第１塞ぎ片(６)の取付け基部(60)は、爪部(65)と掛かり部(17a)の引っ掛かりと押え片(62)に対するビス止めのみならず、第１フロントケース(１)と第２フロントケース(２)のビス止めによる嵌め合い押圧によって、第１フロントケース(１)上に強固に支持される。
【００１８】
第２塞ぎ片(７)は、図１に示す如く、第２リアカバー(４)内に挿入して接着剤等にて固定される取付け基部(70)から、第２切欠窓(55)を覆う円弧状の覆い壁(71)を突設して形成される。
覆い壁(71)は、第２フロントケース(２)と第２リアカバー(４)との間の隙間から突出して、前記第２切欠(55)を塞ぐ。
【００１９】
上記の如く、第１フロントケース(１)と第２フロントケース(２)のには、ヒンジ部(５)にフレキシブル接続基板(８)を通過させるために切欠窓(54)(55)が開口するが、この切欠窓(54)(55)を夫々独立して形成し、第１フロントケース(１)及び第２フロントケース(２)と視覚的或いは触感の同じ第１塞ぎ片(６)及び第２塞ぎ片(７)にて塞ぐことにより、ヒンジ部(５)に色或いは触感を統一出来る。
第１塞ぎ片(６)は、その取付け基部(60)の押え片(62)がビス止め及び第１リアカバー(３)の押圧によって支持されるため、ヒンジ部(５)の筒部の端面に引っ掛かり凹み部を設けて第１塞ぎ片(６)を部分的に引っ掛ける場合に較べて、ヒンジ部(５)の筒部を小さくすることに、支障はなく、ヒンジ部(５)の外径を小さくすることに寄与できる。
【００２０】
本発明では、第１塞ぎ片(６)を、押え片(62)のビス止めと脚片(64)の引っ掛かりの２箇所止めによって、第１フロントケース(１)に支持したため、図６の矢印(102)で示す方向に、ヒンジ部(５)に対して捻り力が加わった場合でも、ヒンジ部(５)の第１切欠(54)と該切欠を塞ぐ第１塞ぎ片(６)との嵌合部に隙間が生じることを防止できる。
【００２１】
上記実施例では、第１塞ぎ片(６)を第１フロントケース(１)に取り付けることにより、第１リアカバー(３)のヒンジ側先端に横長のイルミネーション部(32)を形成することができたが、イルミネーション部(32)を横長にせず、或いはイルミネーション部(32)の位置を変更すれば、第１塞ぎ片(６)を上記同様の方法で第１リアカバー(３)に取り付けることもできる。
又、上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】第１、第２フロントケースから第１、第２リアカバーを外した状態の斜視図である。
【図２】ヒンジ部の分解斜面図である。
【図３】リア側から見たヒンジ部の分解斜面図である。
【図４】図３Ｘ−Ｘ線に沿う断面図である。
【図５】両３Ｙ−Ｙ線に沿う断面図である。
【図６】折畳み状態の携帯電話の斜面図である。
【図７】図６Ａ−Ａ線に沿う断面図である。
【図８】図６Ｂ−Ｂ線に沿う断面図である。
【図９】従来の携帯電話の斜面図である。
【図１０】従来の携帯電話機の分解斜面図である。
【図１１】従来のヒンジ部の分解斜面図である。
【図１２】図１０のフロントケースをＺ方向から見た裏面図である。
【符号の説明】
(１)  第１フロントケース
(15)  第１嵌合部
(２)  第２フロントケース
(26)  第２嵌合部
(３)  第１リアカバー
(４)  第２リアカバー
(５)  ヒンジ部
(54)  第１切欠窓
(55)  第２切欠窓
(６)  第１塞ぎ片
(７)  第２塞ぎ片
(８)  フレキシブル接続基板
【図１】
0003960823.tif 000002
【図２】
0003960823.tif 000003
【図３】
0003960823.tif 000004
【図４】
0003960823.tif 000005
【図５】
0003960823.tif 000006
【図６】
0003960823.tif 000007
【図７】
0003960823.tif 000008
【図８】
0003960823.tif 000009
【図９】
0003960823.tif 000010
【図１０】
0003960823.tif 000011
【図１１】
0003960823.tif 000012
【図１２】
0003960823.tif 000013